(57)【要約】【課題】  切り貼りなどの偽変造を施した媒体を偽変造を施していない正規の媒体とは判別するできるようにしたプリントパターンデータ付き媒体の提供。【解決手段】  主表面を有する媒体１と、該主表面に第１の特殊インキを用いてプリントされた第１のプリントパターンデータ２と、前記主表面に第１のプリントパターンデータ２に少なくとも一部が重なり合うように第２の特殊インキを用いてプリントされた第２のプリントパターンデータ３とを有し、第１及び第２のプリントパターンデータ２及び３は、互いに異なる波長の識別波を用いて識別されるものであることを特徴とするプリントパターンデータ付き媒体。【選択図】  図１
2005149417.tif 000002
【特許請求の範囲】
【請求項１】
主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２のプリントパターンデータは、互いに異なる識別方法で識別されるものであることを特徴とするプリントパターンデータ付き媒体。
【請求項２】
請求項１に記載のプリントパターンデータ付き媒体において、
前記第１及び前記第２のプリントパターンデータは、互いに異なる波長の識別波を用いて識別されるものであることを特徴とするプリントパターンデータ付き媒体。
【請求項３】
請求項１に記載のプリントパターンデータ付き媒体において、
前記第１及び前記第２の特殊インキの一方が、紫外線インキ、蛍光インキ、及び赤外線インキのうちの一つであり、
前記第１及び前記第２の特殊インキの他方が、前記紫外線インキ、前記蛍光インキ、及び前記赤外線インキのうちの残りの一つであり、
前記第１及び前記第２のプリントパターンデータは、互いに異なる波長の識別波を用いて識別されるものであることを特徴とするプリントパターンデータ付き媒体。
【請求項４】
請求項１に記載のプリントパターンデータ付き媒体において、
前記第１及び前記第２の特殊インキの一方が、紫外線インキ、蛍光インキ、及び赤外線インキのうちの一つであり、
前記第１及び前記第２の特殊インキの他方が、磁気インキであり、
前記第１及び前記第２の特殊インキの前記一方を用いてプリントされた前記第１及び前記第２のプリントパターンデータの一方は、所定の波長の識別波を用いて識別されるものであり、
前記第１及び前記第２の特殊インキの前記他方を用いてプリントされた前記第１及び前記第２のプリントパターンデータの他方は、磁気センサを用いて識別されるものであることを特徴とするプリントパターンデータ付き媒体。
【請求項５】
主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２の特殊インキは互いに異なるものであり、前記第１及び前記第２のプリントパターンデータは、互いに異なる波長の識別波を用いて識別されるものであることを特徴とするプリントパターンデータ付き媒体。
【請求項６】
請求項５に記載のプリントパターンデータ付き媒体において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方が、前記図形データ、前記バーコードデータ、及び前記文字データのうちの残りの一つであることを特徴とするプリントパターンデータ付き媒体。
【請求項７】
請求項５に記載のプリントパターンデータ付き媒体において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方も、前記図形データ、前記バーコードデータ、及び前記文字データの前記一つであることを特徴とするプリントパターンデータ付き媒体。
【請求項８】
請求項５に記載のプリントパターンデータ付き媒体において、
前記第１及び前記第２のプリントパターンデータの一方が、前記媒体の認識コードを表わしていることを特徴とするプリントパターンデータ付き媒体。
【請求項９】
請求項５に記載のプリントパターンデータ付き媒体において、
前記第１のプリントパターンデータは、図形を表わす図形データであり、
前記第２のプリントパターンデータは、前記媒体の認識コードを表わしていることを特徴とするプリントパターンデータ付き媒体。
【請求項１０】
請求項１〜９のいずれかに記載のプリントパターンデータ付き媒体において、
前記媒体は、熱転写用紙、感熱紙、及びプラスチックシートのうちの一つ、或いは熱転写用紙、感熱紙、及びプラスチックシートの少なくとも二つの複合物、或いは紙ベースのリライトカードであることを特徴とするプリントパターンデータ付き媒体。
【請求項１１】
主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２の特殊インキは互いに異なるものであり、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の途中の第１の位置に位置する時に前記第１及び前記第２のプリントパターンデータの一方を、第１の波長の識別波を用いて識別する第１のセンサと、前記識別装置筐体内に設けられ、前記プリントパターンデータ付き媒体が前記搬送通路の第２の位置に位置する時に前記第１及び前記第２のプリントパターンデータの他方を、第２の波長の識別波を用いて識別する第２のセンサとを、有し、前記第２の位置は、前記第１の位置よりも、前記装置筐体奥部に近い位置であり、前記第２の波長は前記第１の波長とは異なる波長であることを特徴とする識別装置。
【請求項１２】
主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２の特殊インキは互いに異なるものであり、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の途中の第１の位置に位置する時に前記第１のプリントパターンデータを、第１の波長の識別波を用いて識別する第１のセンサと、前記識別装置筐体内に設けられ、前記プリントパターンデータ付き媒体が前記搬送通路の第２の位置に位置する時に前記第２のプリントパターンデータを、第２の波長の識別波を用いて識別する第２のセンサとを、有し、前記第２の位置は、前記第１の位置よりも、前記装置筐体奥部に近い位置であり、前記第２の波長は前記第１の波長とは異なる波長であることを特徴とする識別装置。
【請求項１３】
請求項１１及び１２のいずれかに記載の識別装置において、
前記媒体は、熱転写用紙、感熱紙、及びプラスチックシートのうちの一つ、或いは熱転写用紙、感熱紙、及びプラスチックシートの少なくとも二つの複合物、或いは紙ベースのリライトカードであることを特徴とする識別装置。
【請求項１４】
主表面を有する媒体を用意するステップと、
該主表面に第１の特殊インキを用いて第１のプリントパターンデータをプリントするステップと、
前記主表面に前記第１のプリントパターンデータに少なくとも一部が重なり合うように第２の特殊インキを用いて第２のプリントパターンデータをプリントするステップとを有し、
前記第１及び前記第２のプリントパターンデータは、互いに異なる識別方法で識別されるものであることを特徴とするプリントパターンデータ付き媒体の製造方法。
【請求項１５】
請求項１４に記載のプリントパターンデータ付き媒体の製造方法において、
前記第１及び前記第２のプリントパターンデータは、互いに異なる波長の識別波を用いて識別されるものであることを特徴とするプリントパターンデータ付き媒体の製造方法。
【請求項１６】
請求項１４に記載のプリントパターンデータ付き媒体の製造方法において、
前記第１及び前記第２の特殊インキの一方が、紫外線インキ、蛍光インキ、及び赤外線インキのうちの一つであり、
前記第１及び前記第２の特殊インキの他方が、前記紫外線インキ、前記蛍光インキ、及び前記赤外線インキのうちの残りの一つであり、
前記第１及び前記第２のプリントパターンデータは、互いに異なる波長の識別波を用いて識別されるものであることを特徴とするプリントパターンデータ付き媒体の製造方法。
【請求項１７】
請求項１４に記載のプリントパターンデータ付き媒体の製造方法において、
前記第１及び前記第２の特殊インキの一方が、紫外線インキ、蛍光インキ、及び赤外線インキのうちの一つであり、
前記第１及び前記第２の特殊インキの他方が、磁気インキであり、
前記第１及び前記第２の特殊インキの前記一方を用いてプリントされた前記第１及び前記第２のプリントパターンデータの一方は、所定の波長の識別波を用いて識別されるものであり、
前記第１及び前記第２の特殊インキの前記他方を用いてプリントされた前記第１及び前記第２のプリントパターンデータの他方は、磁気センサを用いて識別されるものであることを特徴とするプリントパターンデータ付き媒体の製造方法。
【請求項１８】
主表面を有する媒体を用意するステップと、
該主表面に第１の特殊インキを用いて第１のプリントパターンデータをプリントするステップと、
前記主表面に前記第１のプリントパターンデータに少なくとも一部が重なり合うように第２の特殊インキを用いて第２のプリントパターンデータをプリントするステップとを有し、
前記第１及び前記第２の特殊インキは互いに異なるものであり、前記第１及び前記第２のプリントパターンデータは、互いに異なる波長の識別波を用いて識別されるものであることを特徴とするプリントパターンデータ付き媒体の製造方法。
【請求項１９】
請求項１８に記載のプリントパターンデータ付き媒体の製造方法において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方が、前記図形データ、前記バーコードデータ、及び前記文字データのうちの残りの一つであることを特徴とするプリントパターンデータ付き媒体の製造方法。
【請求項２０】
請求項１８に記載のプリントパターンデータ付き媒体の製造方法において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方も、前記図形データ、前記バーコードデータ、及び前記文字データの前記一つであることを特徴とするプリントパターンデータ付き媒体の製造方法。
【請求項２１】
請求項１８に記載のプリントパターンデータ付き媒体の製造方法において、
前記第１及び前記第２のプリントパターンデータの一方が、前記媒体の認識コードを表わしていることを特徴とするプリントパターンデータ付き媒体の製造方法。
【請求項２２】
請求項１８に記載のプリントパターンデータ付き媒体の製造方法において、
前記第１のプリントパターンデータは、図形を表わす図形データであり、
前記第２のプリントパターンデータは、前記媒体の認識コードを表わしていることを特徴とするプリントパターンデータ付き媒体の製造方法。
【請求項２３】
請求項１４〜２２のいずれかに記載のプリントパターンデータ付き媒体の製造方法において、
前記媒体は、熱転写用紙、感熱紙、及びプラスチックシートのうちの一つ、或いは熱転写用紙、感熱紙、及びプラスチックシートの少なくとも二つの複合物、或いは紙ベースのリライトカードであることを特徴とするプリントパターンデータ付き媒体の製造方法。
【請求項２４】
主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、
前記第１及び前記第２のプリントパターンデータは、互いに異なる波長の識別波を用いて識別されるものであり、
前記媒体は、感熱紙であり、
前記第１のプリントパターンデータは、前記感熱紙の前記主表面に特殊インキを用いてプリントされたものであり、
前記第２のプリントパターンデータは、前記感熱紙の前記主表面に前記第１のプリントパターンデータに少なくとも一部が重なり合うように前記感熱紙を発色させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体。
【請求項２５】
主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、
前記第１及び前記第２のプリントパターンデータは、互いに異なる波長の識別波を用いて識別されるものであり、
前記媒体は、熱転写用紙であり、
前記第１のプリントパターンデータは、前記熱転写用紙の前記主表面に特殊インキを用いてプリントされたものであり、
前記第２のプリントパターンデータは、前記熱転写用紙の前記主表面に前記第１のプリントパターンデータに少なくとも一部が重なり合うように熱転写リボンを用いて熱転写させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体。
【請求項２６】
主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の一位置に位置する時に前記第１のプリントパターンデータを、第１の波長の識別波を用いて識別する第１のセンサと、前記識別装置筐体内に設けられ、前記プリントパターンデータ付き媒体が前記搬送通路の他位置に位置する時に前記第２のプリントパターンデータを、第２の波長の識別波を用いて識別する第２のセンサとを、有し、前記他位置は、前記一位置とは異なる位置であり、前記第２の波長は前記第１の波長とは異なる波長であり、
前記媒体は、感熱紙であり、
前記第１のプリントパターンデータは、前記感熱紙の前記主表面に特殊インキを用いてプリントされたものであり、
前記第２のプリントパターンデータは、前記感熱紙の前記主表面に前記第１のプリントパターンデータに少なくとも一部が重なり合うように前記感熱紙を発色させることによりプリントされたものであり、
前記第２の波長は、可視光の波長であり、
前記第１の波長は、赤外線或いは紫外線の波長であることを特徴とする識別装置。
【請求項２７】
主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の一位置に位置する時に前記第１のプリントパターンデータを、第１の波長の識別波を用いて識別する第１のセンサと、前記識別装置筐体内に設けられ、前記プリントパターンデータ付き媒体が前記搬送通路の他位置に位置する時に前記第２のプリントパターンデータを、第２の波長の識別波を用いて識別する第２のセンサとを、有し、前記他位置は、前記一位置とは異なる位置であり、前記第２の波長は前記第１の波長とは異なる波長であり、
前記媒体は、熱転写用紙であり、
前記第１のプリントパターンデータは、前記熱転写用紙の前記主表面に特殊インキを用いてプリントされたものであり、
前記第２のプリントパターンデータは、前記熱転写用紙の前記主表面に前記第１のプリントパターンデータに少なくとも一部が重なり合うように熱転写リボンを用いて熱転写させることによりプリントされたものであり、
前記第２の波長は、可視光の波長であり、
前記第１の波長は、赤外線或いは紫外線の波長であることを特徴とする識別装置。
【請求項２８】
第１のプリントパターンデータがプレプリントされた主表面を有する媒体を用意するステップと、
前記主表面に前記第１のプリントパターンデータに少なくとも一部が重なり合うように第２のプリントパターンデータをプリントするステップとを有し、
前記第１及び前記第２のプリントパターンデータは、互いに異なる波長の識別波を用いて識別されるものであり、
前記媒体は、感熱紙であり、
前記第１のプリントパターンデータは、前記感熱紙の前記主表面に特殊インキを用いてプリントされたものであり、
前記第２のプリントパターンデータは、前記感熱紙の前記主表面に前記第１のプリントパターンデータに少なくとも一部が重なり合うように前記感熱紙を発色させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体の製造方法。
【請求項２９】
第１のプリントパターンデータがプレプリントされた主表面を有する媒体を用意するステップと、
前記主表面に前記第１のプリントパターンデータに少なくとも一部が重なり合うように第２のプリントパターンデータをプリントするステップとを有し、
前記第１及び前記第２のプリントパターンデータは、互いに異なる波長の識別波を用いて識別されるものであり、
前記媒体は、熱転写用紙であり、
前記第１のプリントパターンデータは、前記熱転写用紙の前記主表面に特殊インキを用いてプリントされたものであり、
前記第２のプリントパターンデータは、前記熱転写用紙の前記主表面に前記第１のプリントパターンデータに少なくとも一部が重なり合うように熱転写リボンを用いて熱転写させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体の製造方法。
【発明の詳細な説明】
【技術分野】
【０００１】
本発明は、媒体のセキュリティ対策に関し、特に、媒体に、セキュリティ対策のために特殊プリントによりプリントパターンデータを形成したプリントパターンデータ付き媒体に関するものである。本発明は、また、媒体に形成されたプリントパターンデータを識別する装置に関する。本発明は、更に、プリントパターンデータ付き媒体の製造方法に関する。
【背景技術】
【０００２】
従来、この種の媒体への特殊プリント技術は存在している。すなわち、媒体に特殊インキを用いてプリントパターンデータをプリントすることは、従来から行われている。そのプリントパターンデータを、ある波長の識別波を用いて識別するセンサも、存在している。
【０００３】
特許文献１には、抽選券の２次元コード（ＱＲコード）上に、特殊インキにて図形パターンを重ねて印刷することが開示されている。
【特許文献１】特開２００１-２６１７６号公報
【発明の開示】
【発明が解決しようとする課題】
【０００４】
しかしながら、ある媒体からプリントパターンデータを切り、それを別の媒体に貼った場合、この別の媒体のプリントパターンデータも、前述のセンサを用いれば、識別することができ、従って、切り貼りなどの偽変造を施した媒体を、偽変造を施されていない正規の媒体から判別できない。
【０００５】
本発明の目的は、切り貼りなどの偽変造を施した媒体を偽変造を施していない正規の媒体とは判別するできるようにしたプリントパターンデータ付き媒体及び該プリントパターンデータ付き媒体のための識別装置を提供することにある。
【０００６】
本発明の別の目的は、前記プリントパターンデータ付き媒体の製造方法を提供することにある。
【課題を解決するための手段】
【０００７】
本発明によるプリントパターンデータ付き媒体、本発明による識別装置、及び本発明によるプリントパターンデータ付き媒体の製造方法は、以下のとおりである。
【０００８】
（１）  主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２のプリントパターンデータは、互いに異なる識別方法で識別されるものであることを特徴とするプリントパターンデータ付き媒体。
【０００９】
（２）  上記（１）に記載のプリントパターンデータ付き媒体において、
前記第１及び前記第２のプリントパターンデータは、互いに異なる波長の識別波を用いて識別されるものであることを特徴とするプリントパターンデータ付き媒体。
【００１０】
（３）  上記（１）に記載のプリントパターンデータ付き媒体において、
前記第１及び前記第２の特殊インキの一方が、紫外線インキ、蛍光インキ、及び赤外線インキのうちの一つであり、
前記第１及び前記第２の特殊インキの他方が、前記紫外線インキ、前記蛍光インキ、及び前記赤外線インキのうちの残りの一つであり、
前記第１及び前記第２のプリントパターンデータは、互いに異なる波長の識別波を用いて識別されるものであることを特徴とするプリントパターンデータ付き媒体。
【００１１】
（４）  上記（１）に記載のプリントパターンデータ付き媒体において、
前記第１及び前記第２の特殊インキの一方が、紫外線インキ、蛍光インキ、及び赤外線インキのうちの一つであり、
前記第１及び前記第２の特殊インキの他方が、磁気インキであり、
前記第１及び前記第２の特殊インキの前記一方を用いてプリントされた前記第１及び前記第２のプリントパターンデータの一方は、所定の波長の識別波を用いて識別されるものであり、
前記第１及び前記第２の特殊インキの前記他方を用いてプリントされた前記第１及び前記第２のプリントパターンデータの他方は、磁気センサを用いて識別されるものであることを特徴とするプリントパターンデータ付き媒体。
【００１２】
（５）  主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２の特殊インキは互いに異なるものであり、前記第１及び前記第２のプリントパターンデータは、互いに異なる波長の識別波を用いて識別されるものであることを特徴とするプリントパターンデータ付き媒体。
【００１３】
（６）  上記（５）に記載のプリントパターンデータ付き媒体において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方が、前記図形データ、前記バーコードデータ、及び前記文字データのうちの残りの一つであることを特徴とするプリントパターンデータ付き媒体。
【００１４】
（７）  上記（５）に記載のプリントパターンデータ付き媒体において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方も、前記図形データ、前記バーコードデータ、及び前記文字データの前記一つであることを特徴とするプリントパターンデータ付き媒体。
【００１５】
（８）  上記（５）に記載のプリントパターンデータ付き媒体において、
前記第１及び前記第２のプリントパターンデータの一方が、前記媒体の認識コードを表わしていることを特徴とするプリントパターンデータ付き媒体。
【００１６】
（９）  上記（５）に記載のプリントパターンデータ付き媒体において、
前記第１のプリントパターンデータは、図形を表わす図形データであり、
前記第２のプリントパターンデータは、前記媒体の認識コードを表わしていることを特徴とするプリントパターンデータ付き媒体。
【００１７】
（１０）  上記（１）〜上記（９）のいずれかに記載のプリントパターンデータ付き媒体において、
前記媒体は、熱転写用紙、感熱紙、及びプラスチックシートのうちの一つ、或いは熱転写用紙、感熱紙、及びプラスチックシートの少なくとも二つの複合物、或いは紙ベースのリライトカードであることを特徴とするプリントパターンデータ付き媒体。
【００１８】
（１１）  主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２の特殊インキは互いに異なるものであり、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の途中の第１の位置に位置する時に前記第１及び前記第２のプリントパターンデータの一方を、第１の波長の識別波を用いて識別する第１のセンサと、前記識別装置筐体内に設けられ、前記プリントパターンデータ付き媒体が前記搬送通路の第２の位置に位置する時に前記第１及び前記第２のプリントパターンデータの他方を、第２の波長の識別波を用いて識別する第２のセンサとを、有し、前記第２の位置は、前記第１の位置よりも、前記装置筐体奥部に近い位置であり、前記第２の波長は前記第１の波長とは異なる波長であることを特徴とする識別装置。
【００１９】
（１２）  主表面を有する媒体と、該主表面に第１の特殊インキを用いてプリントされた第１のプリントパターンデータと、前記主表面に前記第１のプリントパターンデータに少なくとも一部が重なり合うように第２の特殊インキを用いてプリントされた第２のプリントパターンデータとを有し、前記第１及び前記第２の特殊インキは互いに異なるものであり、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の途中の第１の位置に位置する時に前記第１のプリントパターンデータを、第１の波長の識別波を用いて識別する第１のセンサと、前記識別装置筐体内に設けられ、前記プリントパターンデータ付き媒体が前記搬送通路の第２の位置に位置する時に前記第２のプリントパターンデータを、第２の波長の識別波を用いて識別する第２のセンサとを、有し、前記第２の位置は、前記第１の位置よりも、前記装置筐体奥部に近い位置であり、前記第２の波長は前記第１の波長とは異なる波長であることを特徴とする識別装置。
【００２０】
（１３）  上記（１１）及び上記（１２）のいずれかに記載の識別装置において、
前記媒体は、熱転写用紙、感熱紙、及びプラスチックシートのうちの一つ、或いは熱転写用紙、感熱紙、及びプラスチックシートの少なくとも二つの複合物、或いは紙ベースのリライトカードであることを特徴とする識別装置。
【００２１】
（１４）  主表面を有する媒体を用意するステップと、
該主表面に第１の特殊インキを用いて第１のプリントパターンデータをプリントするステップと、
前記主表面に前記第１のプリントパターンデータに少なくとも一部が重なり合うように第２の特殊インキを用いて第２のプリントパターンデータをプリントするステップとを有し、
前記第１及び前記第２のプリントパターンデータは、互いに異なる識別方法で識別されるものであることを特徴とするプリントパターンデータ付き媒体の製造方法。
【００２２】
（１５）  上記（１４）に記載のプリントパターンデータ付き媒体の製造方法において、
前記第１及び前記第２のプリントパターンデータは、互いに異なる波長の識別波を用いて識別されるものであることを特徴とするプリントパターンデータ付き媒体の製造方法。
【００２３】
（１６）  上記（１４）に記載のプリントパターンデータ付き媒体の製造方法において、
前記第１及び前記第２の特殊インキの一方が、紫外線インキ、蛍光インキ、及び赤外線インキのうちの一つであり、
前記第１及び前記第２の特殊インキの他方が、前記紫外線インキ、前記蛍光インキ、及び前記赤外線インキのうちの残りの一つであり、
前記第１及び前記第２のプリントパターンデータは、互いに異なる波長の識別波を用いて識別されるものであることを特徴とするプリントパターンデータ付き媒体の製造方法。
【００２４】
（１７）  上記（１４）に記載のプリントパターンデータ付き媒体の製造方法において、
前記第１及び前記第２の特殊インキの一方が、紫外線インキ、蛍光インキ、及び赤外線インキのうちの一つであり、
前記第１及び前記第２の特殊インキの他方が、磁気インキであり、
前記第１及び前記第２の特殊インキの前記一方を用いてプリントされた前記第１及び前記第２のプリントパターンデータの一方は、所定の波長の識別波を用いて識別されるものであり、
前記第１及び前記第２の特殊インキの前記他方を用いてプリントされた前記第１及び前記第２のプリントパターンデータの他方は、磁気センサを用いて識別されるものであることを特徴とするプリントパターンデータ付き媒体の製造方法。
【００２５】
（１８）  主表面を有する媒体を用意するステップと、
該主表面に第１の特殊インキを用いて第１のプリントパターンデータをプリントするステップと、
前記主表面に前記第１のプリントパターンデータに少なくとも一部が重なり合うように第２の特殊インキを用いて第２のプリントパターンデータをプリントするステップとを有し、
前記第１及び前記第２の特殊インキは互いに異なるものであり、前記第１及び前記第２のプリントパターンデータは、互いに異なる波長の識別波を用いて識別されるものであることを特徴とするプリントパターンデータ付き媒体の製造方法。
【００２６】
（１９）  上記（１８）に記載のプリントパターンデータ付き媒体の製造方法において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方が、前記図形データ、前記バーコードデータ、及び前記文字データのうちの残りの一つであることを特徴とするプリントパターンデータ付き媒体の製造方法。
【００２７】
（２０）  上記（１８）に記載のプリントパターンデータ付き媒体の製造方法において、
前記第１及び前記第２のプリントパターンデータの一方が、図形を表わす図形データ、バーコードを表わすバーコードデータ、及び文字及び数字を表わすコードデータのうちの一つであり、
前記第１及び前記第２のプリントパターンデータの他方も、前記図形データ、前記バーコードデータ、及び前記文字データの前記一つであることを特徴とするプリントパターンデータ付き媒体の製造方法。
【００２８】
（２１）  上記（１８）に記載のプリントパターンデータ付き媒体の製造方法において、
前記第１及び前記第２のプリントパターンデータの一方が、前記媒体の認識コードを表わしていることを特徴とするプリントパターンデータ付き媒体の製造方法。
【００２９】
（２２）  上記（１８）に記載のプリントパターンデータ付き媒体の製造方法において、
前記第１のプリントパターンデータは、図形を表わす図形データであり、
前記第２のプリントパターンデータは、前記媒体の認識コードを表わしていることを特徴とするプリントパターンデータ付き媒体の製造方法。
【００３０】
（２３）  上記（１４）〜上記（２２）のいずれかに記載のプリントパターンデータ付き媒体の製造方法において、
前記媒体は、熱転写用紙、感熱紙、及びプラスチックシートのうちの一つ、或いは熱転写用紙、感熱紙、及びプラスチックシートの少なくとも二つの複合物、或いは紙ベースのリライトカードであることを特徴とするプリントパターンデータ付き媒体の製造方法。
【００３１】
（２４）  主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、
前記第１及び前記第２のプリントパターンデータは、互いに異なる波長の識別波を用いて識別されるものであり、
前記媒体は、感熱紙であり、
前記第１のプリントパターンデータは、前記感熱紙の前記主表面に特殊インキを用いてプリントされたものであり、
前記第２のプリントパターンデータは、前記感熱紙の前記主表面に前記第１のプリントパターンデータに少なくとも一部が重なり合うように前記感熱紙を発色させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体。
【００３２】
（２５）  主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、
前記第１及び前記第２のプリントパターンデータは、互いに異なる波長の識別波を用いて識別されるものであり、
前記媒体は、熱転写用紙であり、
前記第１のプリントパターンデータは、前記熱転写用紙の前記主表面に特殊インキを用いてプリントされたものであり、
前記第２のプリントパターンデータは、前記熱転写用紙の前記主表面に前記第１のプリントパターンデータに少なくとも一部が重なり合うように熱転写リボンを用いて熱転写させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体。
【００３３】
（２６）  主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の一位置に位置する時に前記第１のプリントパターンデータを、第１の波長の識別波を用いて識別する第１のセンサと、前記識別装置筐体内に設けられ、前記プリントパターンデータ付き媒体が前記搬送通路の他位置に位置する時に前記第２のプリントパターンデータを、第２の波長の識別波を用いて識別する第２のセンサとを、有し、前記他位置は、前記一位置とは異なる位置であり、前記第２の波長は前記第１の波長とは異なる波長であり、
前記媒体は、感熱紙であり、
前記第１のプリントパターンデータは、前記感熱紙の前記主表面に特殊インキを用いてプリントされたものであり、
前記第２のプリントパターンデータは、前記感熱紙の前記主表面に前記第１のプリントパターンデータに少なくとも一部が重なり合うように前記感熱紙を発色させることによりプリントされたものであり、
前記第２の波長は、可視光の波長であり、
前記第１の波長は、赤外線或いは紫外線の波長であることを特徴とする識別装置。
【００３４】
（２７）  主表面を有する媒体と、該主表面にプリントされた第１のプリントパターンデータと、前記主表面に前記第１のプリントパターンデータに少なくとも一部が重なり合うようにプリントされた第２のプリントパターンデータとを有し、前記第１及び前記第２のプリントパターンデータは、互いに異なる波長の識別波を用いて識別されるものであるプリントパターンデータ付き媒体のための識別装置であって、
挿入口を有し、前記プリントパターンデータ付き媒体が前記挿入口から搬送通路に沿って装置筐体奥部まで挿入される識別装置筐体と、前記識別装置筐体内に設けられ、前記プリントパターンデータ付き媒体が前記搬送通路の一位置に位置する時に前記第１のプリントパターンデータを、第１の波長の識別波を用いて識別する第１のセンサと、前記識別装置筐体内に設けられ、前記プリントパターンデータ付き媒体が前記搬送通路の他位置に位置する時に前記第２のプリントパターンデータを、第２の波長の識別波を用いて識別する第２のセンサとを、有し、前記他位置は、前記一位置とは異なる位置であり、前記第２の波長は前記第１の波長とは異なる波長であり、
前記媒体は、熱転写用紙であり、
前記第１のプリントパターンデータは、前記熱転写用紙の前記主表面に特殊インキを用いてプリントされたものであり、
前記第２のプリントパターンデータは、前記熱転写用紙の前記主表面に前記第１のプリントパターンデータに少なくとも一部が重なり合うように熱転写リボンを用いて熱転写させることによりプリントされたものであり、
前記第２の波長は、可視光の波長であり、
前記第１の波長は、赤外線或いは紫外線の波長であることを特徴とする識別装置。
【００３５】
（２８）  第１のプリントパターンデータがプレプリントされた主表面を有する媒体を用意するステップと、
前記主表面に前記第１のプリントパターンデータに少なくとも一部が重なり合うように第２のプリントパターンデータをプリントするステップとを有し、
前記第１及び前記第２のプリントパターンデータは、互いに異なる波長の識別波を用いて識別されるものであり、
前記媒体は、感熱紙であり、
前記第１のプリントパターンデータは、前記感熱紙の前記主表面に特殊インキを用いてプリントされたものであり、
前記第２のプリントパターンデータは、前記感熱紙の前記主表面に前記第１のプリントパターンデータに少なくとも一部が重なり合うように前記感熱紙を発色させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体の製造方法。
【００３６】
（２９）  第１のプリントパターンデータがプレプリントされた主表面を有する媒体を用意するステップと、
前記主表面に前記第１のプリントパターンデータに少なくとも一部が重なり合うように第２のプリントパターンデータをプリントするステップとを有し、
前記第１及び前記第２のプリントパターンデータは、互いに異なる波長の識別波を用いて識別されるものであり、
前記媒体は、熱転写用紙であり、
前記第１のプリントパターンデータは、前記熱転写用紙の前記主表面に特殊インキを用いてプリントされたものであり、
前記第２のプリントパターンデータは、前記熱転写用紙の前記主表面に前記第１のプリントパターンデータに少なくとも一部が重なり合うように熱転写リボンを用いて熱転写させることによりプリントされたものであり、
前記第２のプリントパターンデータは、可視光の識別波を用いて識別され、
前記第１のプリントパターンデータは、赤外線或いは紫外線の識別波を用いて識別されるものであることを特徴とするプリントパターンデータ付き媒体の製造方法。
【００３７】
上記特許文献１は、上記（１）、上記（５）、上記（１１）、上記（１２）、上記（１４）、及び上記（１８）における、第１及び第２のプリントパターンデータが第１の特殊インキ及び第２の特殊インキを用いて重なり合うようにプリントされることを開示していない。すなわち、上記特許文献１は、第１及び第２のプリントパターンデータを両方とも、互いに異なる特殊インキを用いて重なり合うようにプリントすることを開示していない。
【００３８】
また、特許文献１は、上記（２４）、上記（２６）、及び上記（２８）における、「前記媒体は、感熱紙であり、前記第１のプリントパターンデータは、前記感熱紙の前記主表面に特殊インキを用いてプリントされたものであり、前記第２のプリントパターンデータは、前記感熱紙の前記主表面に前記第１のプリントパターンデータに少なくとも一部が重なり合うように前記感熱紙を発色させることによりプリントされたものである」ことを開示していない。
【００３９】
更に、特許文献１は、上記（２５）、上記（２７）、及び上記（２９）における、「前記媒体は、熱転写用紙であり、前記第１のプリントパターンデータは、前記熱転写用紙の前記主表面に特殊インキを用いてプリントされたものであり、前記第２のプリントパターンデータは、前記熱転写用紙の前記主表面に前記第１のプリントパターンデータに少なくとも一部が重なり合うように熱転写リボンを用いて熱転写させることによりプリントされたものである」ことを開示していない。
【発明の効果】
【００４０】
本発明によれば、第１及び第２のプリントパターンデータの一方を切り貼りなどして偽変造を施した媒体を得たとしても第１及び第２のプリントパターンデータの他方を識別することが困難なため、セキュリティ対策が可能となる。
【００４１】
すなわち、本発明によれば、切り貼りなどの偽変造を施した媒体を偽変造を施していない正規の媒体とは判別するできるプリントパターンデータ付き媒体、該プリントパターンデータ付き媒体のための識別装置、及び該プリントパターンデータ付き媒体の製造方法が得られる。
【発明を実施するための最良の形態】
【００４２】
次に、本発明の一実施形態によるプリントパターンデータ付き媒体について説明する。
【００４３】
本実施形態によるプリントパターンデータ付き媒体では、媒体の実質同一位置に、互いに異なる第１及び第２の波長の識別波を用いて識別される第１及び第２のプリントパターンデータが特殊プリントによりプリントされている。この際、第１及び第２のプリントパターンデータは、互いに少なくとも一部が重なり合うように媒体にプリントされれば良い。
【００４４】
また、識別装置は、第１及び第２の波長の識別波をそれぞれ別個に発光し、第１及び第２のプリントパターンデータをそれぞれ識別する機能を有する。
【００４５】
このようにして、本実施形態では、媒体の実質同一位置に、第１及び第２の波長の識別波を用いて識別される第１及び第２のプリントパターンデータがプリントされており、識別装置は、第１及び第２の波長の識別波をそれぞれ別個に発光し、第１及び第２のプリントパターンデータをそれぞれ識別するため、第１及び第２のプリントパターンデータの切り貼りなどの偽変造により第１及び第２のプリントパターンデータのどちらか一方が偽変造されたとしても、第１及び第２のプリントパターンデータの他方を生成することが困難なため、セキュリティ対策が可能となる。
【００４６】
このように本実施形態は、 媒体へ２種類以上の識別波長によりそれぞれ識別可能な２個以上のプリントパターンデータをプリントすることと、それらを別々に識別する識別装置により媒体のセキュリティ対策（特に切り貼り）に効果がある。
【００４７】
次に、本発明の一実施例によるプリントパターンデータ付き媒体について図面を参照して詳細に説明する。
【００４８】
図１を参照すると、上記実施例によるプリントパターンデータ付き媒体は、主表面を有する媒体（例えば、熱転写用紙）１と、主表面に第１の特殊インキを用いて特殊プリントされた第１のプリントパターンデータ（例えば、複数の図形を表わす図形データ）２と、主表面に第１のプリントパターンデータ２に少なくとも一部が重なり合うように第２の特殊インキを用いてプリントされた第２のプリントパターンデータ（例えば、媒体１の認識コード(ABCIIZXYS)を表わしている）３とを有している。
【００４９】
第１及び第２のプリントパターンデータ２及び３は、互いに異なる識別方法で識別されるものである。すなわち、第１及び第２のプリントパターンデータ２及び３は、互いに異なる第１及び第２の波長の識別波を吸収する第１及び第２の特殊インキにより構成されており、互いに異なる第１及び第２の波長の識別波を用いて識別されるものである。
【００５０】
次に、上記実施例によるプリントパターンデータ付き媒体の製造方法について説明する。
【００５１】
先ず、図２に示した様に、主表面を有する媒体１を用意し、主表面に第１の特殊インキを用いて第１のプリントパターンデータ２をプレプリントする。
【００５２】
次に、図１に示したように、媒体１の主表面に、第１のプリントパターンデータ２に少なくとも一部が重なり合うように、第２の特殊インキを用いて第２のプリントパターンデータ３をプリントする。
【００５３】
これによって、上記実施例によるプリントパターンデータ付き媒体が完成する。
【００５４】
このプリントパターンデータ付き媒体の第１のプリントパターンデータ２は、図３（Ａ）に示したように、第１の波長の識別波を発生する第１のセンサ４（後述の識別装置に備えられる）によって識別される。すなわち、第１のセンサ４の波長では、第１の特殊インキによる第１のプリントパターンデータ２を検出することができる。他方、本プリントパターンデータ付き媒体の第２のプリントパターンデータ３は、図３（Ｂ）に示したように、第２の波長の識別波を発生する第２のセンサ５（後述の識別装置に備えられる）によって識別される。すなわち、第２のセンサ５の波長では、第２の特殊インキによる第２のプリントパターンデータ３を検出することができる。
【００５５】
図４を参照すると、上記実施例によるプリントパターンデータ付き媒体のための識別装置７が示されており、この識別装置７は、図３（Ａ）及び（Ｂ）に示した第１及び第２のセンサ４及び５を備えている。
【００５６】
詳細には、識別装置７は、前記プリントパターンデータ付き媒体が挿入排出口から搬送通路７１に沿って装置筐体奥部まで挿入される識別装置筐体７２と、識別装置筐体７２内に設けられ、前記プリントパターンデータ付き媒体が搬送通路７１の途中の第１の位置に位置する時に第１のプリントパターンデータ２（図１及び図３（Ａ））を、第１の波長の識別波を用いて識別する第１のセンサ４と、識別装置筐体７２内に設けられ、前記プリントパターンデータ付き媒体が搬送通路７１の第２の位置に位置する時に第２のプリントパターンデータ３（図１及び図３（Ｂ））を、第２の波長の識別波を用いて識別する第２のセンサ５とを、有し、第２の位置は、第１の位置よりも、装置筐体奥部に近い位置である。
【００５７】
なお、図４において、第２及び第１のセンサ５及び４をそれぞれ第１の位置及び第２の位置に設け、前記プリントパターンデータ付き媒体が搬送通路７１の第１の位置に位置する時に第２のプリントパターンデータ３（図１及び図３（Ｂ））を第２のセンサ５によって識別し、前記プリントパターンデータ付き媒体が搬送通路７１の第２の位置に位置する時に第１のプリントパターンデータ２（図１及び図３（Ａ））を第１のセンサ４によって識別するようにしても良い。
【００５８】
図４の識別装置７においては、偽変造を施されていないプリントパターンデータ付き媒体では、第１のプリントパターンデータ２（図１及び図３（Ａ））及び第２のプリントパターンデータ３（図１及び図３（Ｂ））が存在しているので、図３（Ａ）及び（Ｂ）のように、識別装置７の第１のセンサ４及び第２のセンサ５で第１のプリントパターンデータ２及び第２のプリントパターンデータ３をそれぞれ検出することができる。
【００５９】
しかし、切り貼りで第２のプリントパターンデータ３（図１）の複製品を作り偽造した場合は、図５（Ｂ）のように、識別装置７の第２のセンサ５で第２のプリントパターンデータ３を検出することができるかもしれないが、図５（Ａ）のように、識別装置７の第１のセンサ１でプリントパターンデータ６は正常な第１のプリントパターンデータ２として読みとれないため、偽変造と判別可能となる。
【００６０】
（１）  第１のプリントパターンデータ２及び第２のプリントパターンデータ３としては、以下のデータを用いることができる。
【００６１】
１）バーコードを表わすバーコードデータ
２）ＯＣＲ文字データ
３）図形を表わす図形データ
４）文字及び数字を表わすコードデータ
以上のデータは、同じものを選択しても可能。ただし、その場合、異なる第１及び第２の波長で識別可能とする。
【００６２】
５）磁気データ（第１のプリントパターンデータ２及び第２のプリントパターンデータ３の一方のみに用いる）
（２）  互いに異なる識別方法としては以下の例がある。
【００６３】
１）異なる波長で識別できる特殊インキ（紫外線インキ、蛍光インキ、及び赤外線インキ）
２）特殊インキの別の例としての磁気インキと特殊インキ（紫外線インキ、蛍光インキ、及び赤外線インキ）
（３）  媒体１には、以下の例がある。
【００６４】
１）熱転写用紙
２）感熱紙
３）プラスチックシート
４）熱転写用紙、感熱紙、及びプラスチックシートの少なくとも二つの複合物
５）紙ベースのリライトカード
（４）  第１のセンサ及び第２のセンサ４としては以下の例がある。
【００６５】
１）ポイントセンサ
２）ラインセンサ（イメージセンサ）
３）磁気センサ（磁気インキによる磁気データの識別或いは読取）
次に本発明の特別な実施例によるプリントパターンデータ付き媒体について図１を参照して説明する。
【００６６】
図１において、この特別の実施例によるプリントパターンデータ付き媒体も、上述した一実施例と同様に、主表面を有する媒体１と、該主表面にプリントされた第１のプリントパターンデータ２と、前記主表面に第１のプリントパターンデータ２に少なくとも一部が重なり合うようにプリントされた第２のプリントパターンデータ３とを有し、第１及び第２のプリントパターンデータ２及び３は、互いに異なる波長の識別波を用いて識別されるものである。
【００６７】
この特別の実施例では、媒体１が感熱紙である場合或いは媒体１が熱転写用紙である場合を対象とする。
【００６８】
媒体１が感熱紙である場合：
第１のプリントパターンデータ２は、上述の実施例同様に、感熱紙１の主表面に特殊インキを用いてプリントされている。
【００６９】
しかし、第２のプリントパターンデータ３は、感熱紙１の主表面に第１のプリントパターンデータに少なくとも一部が重なり合うように感熱紙１を発色させることによりプリントされている。
【００７０】
第２のプリントパターンデータ３は、可視光の識別波を用いて識別され、第１のプリントパターンデータ２は、赤外線或いは紫外線の識別波を用いて識別されるものである。
【００７１】
媒体１が熱転写用紙である場合：
第１のプリントパターンデータ２は、上述の実施例同様に、熱転写用紙１の主表面に特殊インキを用いてプリントされている。
【００７２】
しかし、第２のプリントパターンデータ３は、熱転写用紙１の主表面に第１のプリントパターンデータに少なくとも一部が重なり合うように熱転写リボンを用いて熱転写プリンタなどにより熱転写させることによりプリントされている。
【００７３】
第２のプリントパターンデータ３は、可視光の識別波を用いて識別され、第１のプリントパターンデータ２は、赤外線或いは紫外線の識別波を用いて識別されるものである。
【００７４】
上記特別の実施例によるプリントパターンデータ付き媒体の識別を行うため、図４の識別装置は、本プリントパターンデータ付き媒体が搬送通路の一位置に位置する時に第１のプリントパターンデータ２を、赤外線或いは紫外線の波長（第１の波長）の識別波を用いて識別する第１のセンサ４と、プリントパターンデータ付き媒体が前記搬送通路の他位置に位置する時に第２のプリントパターンデータ３を、可視光の波長（第２の波長）の識別波を用いて識別する第２のセンサとを、有するものとすれば良い。
【００７５】
上記特別の実施例によるプリントパターンデータ付き媒体を製造する際には、まず、図２のように、第１のプリントパターンデータ２がプレプリントされた主表面を有する媒体（感熱紙または熱転写用紙）１を用意する。
【００７６】
そして、図１のように、媒体（感熱紙または熱転写用紙）１の主表面に第１のプリントパターンデータ２に少なくとも一部が重なり合うように第２のプリントパターンデータ３をプリントする。この際、媒体１が感熱紙である場合、感熱紙の主表面に第１のプリントパターンデータ２に少なくとも一部が重なり合うように第２のプリントパターンデータ３を感熱紙を発色させることによりプリントする。或いは、媒体１が熱転写用紙である場合、熱転写用紙１の主表面に第１のプリントパターンデータ２に少なくとも一部が重なり合うように第２のプリントパターンデータ３を熱転写リボンを用いて熱転写プリンタなどにより熱転写させることによりプリントする。
【００７７】
これによって、上記特別の実施例によるプリントパターンデータ付き媒体が完成する。
【産業上の利用可能性】
【００７８】
本発明は、有価証券、金券、紙幣、重要な書類を取り扱う業務分野に利用の可能性が高い。
【図面の簡単な説明】
【００７９】
【図１】本発明の一実施例によるプリントパターンデータ付き媒体を示す図である。
【図２】図１のプリントパターンデータ付き媒体の製造方法の説明に使用する図である。
【図３】図１のプリントパターンデータ付き媒体の第１及び第２のプリントパターンデータの識別動作の説明に使用する図である。
【図４】図１のプリントパターンデータ付き媒体のための識別装置を示した図である。
【図５】図１のプリントパターンデータ付き媒体（偽変造された場合）の第１及び第２のプリントパターンデータの識別動作の説明に使用する図である。
【符号の説明】
【００８０】
１    媒体
２    第１のプリントパターンデータ
３    第２のプリントパターンデータ
４    第１のセンサ
５    第２のセンサ
７    識別装置
７１    搬送通路
７２    識別装置筐体
【図１】
2005149417.tif 000003
【図２】
2005149417.tif 000004
【図３】
2005149417.tif 000005
【図４】
2005149417.tif 000006
【図５】
2005149417.tif 000007